(57)【要約】【課題】  クレセント錠の防犯性を高める。【解決手段】  引戸の縦框１の室内側に装着された台座３と、この台座３において回動可能に支承され、螺旋状の係合端縁を形成した環堤部４付の錠止盤５と、この錠止盤５に同軸に結合されたピニオン１８と、台座３において上下方向に移動可能に案内され、ピニオンと噛み合い係合をしたラック板１９とを有し、引戸の縦框１に沿って移動可能に案内され、上記ラック板１９に連結された連動杆２７を介して、縦枠の台座とは離間した位置に装着されたハンドルに連結され、このハンドルの回動に連動して錠止盤５を回動させる。【選択図】  図４
2006002393.tif 000002
【特許請求の範囲】
【請求項１】
引戸の縦框の室内側に装着された台座と、この台座において回動可能に支承され、螺旋状の係合端縁を形成した環堤部付の錠止盤と、この錠止盤に同軸に結合されたピニオンと、台座において上下方向に移動可能に案内され、ピニオンと噛み合い係合をしたラック板とを有し、引戸の縦框に沿って移動可能に案内され、上記ラック板に連結された連動杆を介して、縦框の台座とは離間した位置に装着されたハンドルに連結され、このハンドルの回動に連動して錠止盤を回動させるようにしたことを特徴とするクレセント錠。
【発明の詳細な説明】
【技術分野】
【０００１】
この発明は、クレセント錠に係り、特に、防犯性を高めた新規なクレセント錠に関する。
【背景技術】
【０００２】
クレセント錠は、例えば後記特許文献１及び２に記載するように、螺旋状の係合端縁を形成した環堤部付の錠止盤を一の引戸の縦框に回動自在に設け、一方、この一の引戸と引き違いとなる他の引戸の縦框に上記係合端縁と係脱可能に係合する係止爪を設け、引戸閉鎖後、錠止盤を回して係合端縁を係止爪に係合させる。
【０００３】
このクレセント錠の構成は従来周知であるが、通常、錠止盤を回すハンドルは錠止盤に同軸かつ一体に結合されている。
【特許文献１】特開平１０−０８８８８２号公報
【特許文献２】特開２００１−０４９９２１公報
【発明の開示】
【発明が解決しようとする課題】
【０００４】
上記クレセント錠は、構造が簡単であるので多用されているが、一面、錠止盤とこれを回すハンドルが一体に結合されているので、引戸のガラスを毀してクレセント錠を露出させると、そのガラスの穴から手を室内に差し入れることにより容易にハンドルを操作でき、したがって防犯性が高いとは言えない、等未だ改良の余地がある。
【０００５】
そこで、この発明は、クレセント錠の構造を少し変更し、防犯性を高めたクレセント錠を提供することを目的としている。
【課題を解決するための手段】
【０００６】
上記の目的を達成するため、請求項１に記載の発明は、引戸の縦框の室内側に装着された台座と、この台座において回動可能に支承され、螺旋状の係合端縁を形成した環堤部付の錠止盤と、この錠止盤に同軸に結合されたピニオンと、台座において上下方向に移動可能に案内され、ピニオンと噛み合い係合をしたラック板とを有し、引戸の縦框に沿って移動可能に案内され、上記ラック板に連結された連動杆を介して、縦框の台座とは離間した位置に装着されたハンドルに連結され、このハンドルの回動に連動して錠止盤を回動させるようにしたことを特徴とする。
【発明の効果】
【０００７】
上記のように構成された請求項１に記載の発明によるクレセント錠は、例え引戸のガラスを毀されても、錠止盤を回動操作するハンドルが離間した位置にあるので、不正解錠を有効に防止できる。
【０００８】
この場合、ハンドルの近傍におけるガラスを毀されればこの発明によるクレセント錠を容易に不正解錠できるが、この発明によるクレセント錠とハンドルとは離間しており、通常、ハンドルをガラス部から離して設置できるので、事実上引戸のガラスを破壊することによるクレセント錠の不正解錠を不可能にする。
【０００９】
また、ハンドルにも他のクレセント錠の錠止盤を連結でき、このようにしてクレセント錠を２重に設置できるので、引戸の錠止を更に安全にできる。
【００１０】
更にまた、上記したダブルクレセント錠は一のハンドルを操作することにより二つのクレセント錠を同時に施解錠できるので、使い勝手を変えずにクレセント錠の安全性を向上させることができる、等種々の効果を奏する。
【発明を実施するための最良の形態】
【００１１】
クレセント錠の本体部と、これを操作するハンドルとを離間して設け、これらを連結する連動杆の動きをラックとピニオンの噛み合い係合を介して錠止盤に伝達するようにしたので、操作力の伝達効率を向上させ、ハンドル操作を円滑にすることができた。
【実施例１】
【００１２】
以下、この発明の実施例を図面を参照して説明する。
図１において符号１は引戸の一方の縦框を示し、この縦框１は他方の縦框２と引き違いとなるもので、図１は引戸の閉鎖状態を示すが、引戸が開くときには他方の縦框２が一方の縦框１に対して、相対的に右方に移動する。
【００１３】
上記縦框１の室内側には、図１乃至図５に示す台座３が例えばねじ止めにより装着されている。
【００１４】
上記台座３には、螺旋状の係合端縁を形成した環堤部４付の錠止盤５が回動可能に支承されており、この錠止盤５は、図１に示すように、引戸施錠時他方の縦框２に装着された係止爪６と係合して、引戸をロックすることは通常のクレセント錠と同様である。
【００１５】
図示の実施例では、図６に示すように、錠止盤５には４個の皿付のかしめ穴７、７が開口しており、これに対応して、図７及び図８に示すように、回転軸９の裏面側に４本のかしめピン８、８が一体に植設されている。
【００１６】
この回転軸９は、突起部や手掛かり部が無い円滑な外面（図７で左側の面）を上にして、かつ、かしめピン８、８を対応するかしめ穴７に挿通させた状態で錠止盤５に重合され、裏面側からかしめピン８、８をかしめることにより錠止盤５に一体的に結合される。
【００１７】
このとき、回転軸９の係合脚１１、１１が、錠止盤５に開口した対応する係合孔１２、１２を挿通して錠止盤５の裏面側に突き抜ける。
【００１８】
そして、図４に示すように、一体的に結合された錠止盤５及び回転軸９は、台座３上に載置され、錠止盤５の裏面側に突き抜けた係合脚１１を、台座表面に形成された環状或いは円弧状の案内溝１３に摺動可能に係合させることにより、台座３の外面において回動可能に案内される。
【００１９】
上記錠止盤５及び回転軸９の抜け止めのため、図４に示すように、台座３の裏面側（右側）からこれを貫通するようにブロック状のカム軸１４が錠止盤５の裏面に係合している。
【００２０】
なお、カム軸１４の左端には図示しない係合突起が設けられていて、この突起を錠止盤５に開口した係合孔１２及び付番しない開口に挿入するようにしてカム軸１４と錠止盤５との間に回り止めが施されているが、この回り止め機構は本発明の要旨ではないので、更に詳細な説明は省略する。
【００２１】
そして、上記カム軸１４は、図４に示すように、これを水平に貫通する固定ねじ１５の先端を、錠止盤５の回転中心に形成された雌ねじ孔１６（図６参照）に螺合させることにより、錠止盤５に一体的に結合されている。
【００２２】
一方、図４及び図５に示すように、凹陥部を形成した錠止盤５の裏面側にはこれを覆うように裏板１７が装着されている。
【００２３】
そして、この裏板１７と錠止盤５との間に形成された薄い空間に、ピニオン１８とラック板１９とが挿設されている。
【００２４】
上記ピニオン１８は、図５及び図９に示すように、中心に係合突起２１を突設した平歯車で、その外周部の２ヵ所に一対の係合切欠２２、２２が形成されている。
【００２５】
そして、ピニオン１８は、図５に示すように、その係合突起２１を次に述べるラック板１９に開口した上下方向に長い第１案内孔２２に摺動可能に係合させ、一対の係合切欠２２、２２の夫々に、カム軸１４に植設された係合ピン２４を係合させることにより、回動可能に支持、案内されている。
【００２６】
他方、上記ラック板１９は、ピニオン１８と重合するように、かつ図５においてピニオン１８を覆うように配設されている。
【００２７】
また、ラック板１９は、図１０及び図１１に示すように、板材を折曲げ、情報の幅広部に上記第１案内孔２２を開口させると共に、折曲げ段部にラック歯を形成し、下方の幅の狭い部分をＬ字形に折曲げ、裏板１７の内面と摺接させるガイド部としている。
【００２８】
更にまた、図４及び図５に示すように、ラック板１９の下端部には連結ピン２５が植設されている。
【００２９】
そして、このラック板１９は、上記ラック歯をピニオン１８と噛み合わせ、連結ピン２５を裏板の第２案内孔２６に摺動可能に係合させた状態で、台座３内において上下方向に移動可能に支持、案内されている。
【００３０】
また、上記連結ピン２５は、一方の縦框１において上下方向に移動可能に案内された連動杆２７（図１及び図４参照）及び下方の台座に設けられた他の連結ピン２５（図４参照）を介して、台座の下方に装着された他の台座のハンドルに連結されている。
【００３１】
なお、図示の実施例における上記他の台座は、他のクレセント錠の操作ハンドルであるものとする。
【００３２】
そして、上下のクレセント錠において、連結ピン２５は夫々連動杆２７に開口した図示しない支持孔に嵌装されているものとする。
【００３３】
また、下方のクレセント錠と連動杆２７との連動機構は、上方のそれのようにハンドルに連結されたピニオンによりラック板を駆動するもの、或いは、公知のドレーキップ窓におけるハンドルと連動杆の駆動機構、等種々の機構を採り得る。
【００３４】
そして、下方のハンドルにより図５に示す施錠状態からラック板１９を下降させれば、これと噛み合うピニオン１８は時計方向に回動してクレセント錠が解錠される。
【００３５】
上記のように構成されたこの発明の一実施例によるクレセント錠は、それ自体の錠止盤を直接操作できないが、下方又は上方に設けたハンドル操作により施解錠できるので、発明の効果の項に記載した種々の優れた効果を奏することは前記した通りである。
【図面の簡単な説明】
【００３６】
【図１】この発明の一実施例によるクレセント錠の平面図で、
【図２】その室内側における正面図。
【図３】その室内側における側面図。
【図４】その縦断面図。
【図５】その裏面図。
【図６】錠止盤の正面図。
【図７】回転軸の断面図。
【図８】回転軸の裏面図。
【図９】ピニオンの正面図。
【図１０】ラック板の平面図。
【図１１】ラック板の正面図。
【符号の説明】
【００３７】
１  一方の縦框
２  他方の縦框
３  台座
４  環堤部
５  錠止盤
６  係止爪
７  かしめ穴
８  かしめピン
９  回転軸
１１  係合部
１２  係合孔
１３  案内溝
１４  カム軸
１５  固定ねじ
１７  裏板
１８  ピニオン
１９  ラック板
２１  係合突起
２２  係合切欠
２５  連結ピン
２７  連動杆
【図１】
2006002393.tif 000003
【図２】
2006002393.tif 000004
【図３】
2006002393.tif 000005
【図４】
2006002393.tif 000006
【図５】
2006002393.tif 000007
【図６】
2006002393.tif 000008
【図７】
2006002393.tif 000009
【図８】
2006002393.tif 000010
【図９】
2006002393.tif 000011
【図１０】
2006002393.tif 000012
【図１１】
2006002393.tif 000013